(57)【要約】      （修正有）【課題】詰め物に代わる脱げ防止策を講じた良好な外観を有する履き物を提供する。【解決手段】底部１２と、甲部１３とを有する履き物１０であり、底部に、アーチ状のゴムベルト２０の両端が固定され、ゴムベルトは、外力を付与しない状態で、甲部の内面１３ａから隙間１４を保つ長さとされている。足先の甲は、甲部とは異なるゴムベルトで拘束される。足先のゴムベルトは、甲部のゴムベルトに比べて格段に拘束力が大きいため、足から履き物が脱げる心配はない。またゴムベルトと甲部との間に隙間が存在するため、甲部が変形する心配はなく、履き物の外観は良好である。【選択図】図２
0003220159.tif 000002
【実用新案登録請求の範囲】
【請求項１】
底部と、この底部に取付けられ足先の甲を覆う甲部とを有する履き物において、
前記底部に、アーチ状のゴムベルトの両端が固定され、
このゴムベルトは、前記甲部で隠される位置に配置され、外力を付与しない状態で、前記甲部の内面から隙間を保つ長さとされていることを特徴とする履き物。
【請求項２】
請求項１記載の履き物であって、
前記ゴムベルトは、前記甲部側の面を上面、前記足先に接する面を下面としたときに、前記下面は平滑面であり、前記上面は、粗面であることを特徴とする履き物。
【請求項３】
請求項２記載の履き物であって、
前記粗面は、前記履き物の幅方向に延びる筋目であることを特徴とする履き物。
【請求項４】
請求項１〜３のいずれか１項記載の履き物であって、
この履き物は、スリッパ又はサンダルであることを特徴とする履き物。
【請求項５】
請求項１〜３のいずれか１項記載の履き物であって、
この履き物は、靴であることを特徴とする履き物。
【請求項６】
請求項５記載の履き物であって、
前記靴は、ヒールバックを潰すことができる靴であることを特徴とする履き物。
【考案の詳細な説明】
【技術分野】
【０００１】
本考案は、スリッパ、サンダル、靴などの履き物に関する。
【背景技術】
【０００２】
室内で使用されるスリッパや、主に屋外で使用されるサンダル及び靴は、生活必需品の一つである。これらを一括して履き物と呼ぶ。
以下、履き物は、スリッパを例に説明する。
【０００３】
スリッパは、ＭサイズとＬサイズの二種類が主に市場に供給される。一方、利用者の足のサイズは千差万別であるため、足がスリッパ内で「遊ぶ」という現象が起こる。この遊びにより、足からスリッパが簡単に脱げるという不具合が発生する。
不具合を解消するために、脱げ防止策を講じたスリッパが、各種提案されてきた（例えば、特許文献１参照）。
【０００４】
特許文献１に開示されるスリッパは、スリッパ底部にアーチ状の足入れ部を設け、この足入れ部の内面に弾性発泡体を取付けてなる。
利用者が、足先を足入れ部に差し込むと、弾性発泡体が収縮する。足先と足入れ部との間に隙間があっても、この隙間が弾性発泡体で塞がれ、且つ足先に復元力が加わるため、足先が足入れ部から簡単に抜けることはない。よって、脱げにくいスリッパが提供される。
【０００５】
ところで、特許文献１の技術には、次に述べる問題がある。
先ず、利用者が足先を足入れ部に差し込むと、弾性発泡体は圧縮され、このときの圧縮量に比例した復元力が発生する。この復元力は脱げ防止に寄与するが、復元力と同じ力が足入れ部に上向きに加わる。すると、弾性発泡体に接している部位においては足入れ部が外へ膨らみ、弾性発泡体に接していない部位においては足入れ部は外へ膨らまない。
足入れ部が局部的に外へ凸になる。すると、足入れ部の外観が悪くなる。
【０００６】
すなわち、足先と足入れ部との隙間に、弾性発泡体などの詰め物をすると、脱げ防止が図られる反面、足入れ部が、詰め物で押されて膨らんでしまい外観性に影響が出る。
そこで、詰め物に代わる脱げ防止策を講じた履き物が望まれる。
【先行技術文献】
【特許文献】
【０００７】
【特許文献１】実用新案登録第３１５８２５３号公報
【考案の概要】
【考案が解決しようとする課題】
【０００８】
本考案は、詰め物に代わる脱げ防止策を講じた履き物を提供することを課題とする。
【課題を解決するための手段】
【０００９】
請求項１に係る考案は、底部と、この底部に取付けられ足先の甲を覆う甲部とを有する履き物において、
前記底部に、アーチ状のゴムベルトの両端が固定され、
このゴムベルトは、前記甲部で隠される位置に配置され、外力を付与しない状態で、前記甲部の内面から隙間を保つ長さとされていることを特徴とする。
【００１０】
請求項２に係る考案は、請求項１記載の履き物であって、
前記ゴムベルトは、前記甲部側の面を上面、前記足先に接する面を下面としたときに、前記下面は平滑面であり、前記上面は、粗面であることを特徴とする。
【００１１】
請求項３に係る考案は、請求項２記載の履き物であって、
前記粗面は、前記履き物の幅方向に延びる筋目であることを特徴とする。
【００１２】
請求項４に係る考案は、請求項１〜３のいずれか１項記載の履き物であって、
この履き物は、スリッパ又はサンダルであることを特徴とする。
【００１３】
請求項５に係る考案は、請求項１〜３のいずれか１項記載の履き物であって、
この履き物は、靴であることを特徴とする。
【００１４】
請求項６に係る考案は、請求項５記載の履き物であって、
前記靴は、ヒールバックを潰すことができる靴であることを特徴とする。
【考案の効果】
【００１５】
請求項１に係る考案では、足先は、甲部とは異なるゴムベルトで拘束される。ゴムベルトは、甲部に比べて格段に拘束力が大きいため、足から履き物が脱げる心配はない。
ゴムベルトと甲部との間に隙間が存在するため、甲部が変形する心配はなく、履き物の外観は良好である。
よって、請求項１により、詰め物に代わる脱げ防止策を講じた履き物が提供される。
【００１６】
請求項２に係る考案では、ゴムベルトは、下面が平滑面であり、上面が粗面である。
通常の使用形態では、ゴムベルトの下面が足先に接触する。下面が平滑面であるため、足先の差し入れ、引き抜きが円滑になる。
【００１７】
ゴムベルトは弾性体であるため、足先で踏みつけることができる。ゴムベルトを踏みつけた使用形態では、ゴムベルトの上面が足裏に接する。足裏とゴムベルト側の粗面との間に摩擦が発生する。ゴムベルトの拘束力は消失したが、摩擦により、履き物が脱げ難くなる。
【００１８】
請求項３に係る考案では、粗面は、履き物の幅方向に延びる筋目である。織布でゴムベルトを構成すれば、筋目を容易に形成することができる。
【００１９】
請求項４に係る考案では、履き物は、スリッパ又はサンダルである。スリッパやサンダルは、ヒールバックを有しないために、脱げやすいが、本考案によれば、ゴムベルトにより、脱げ防止を測ることができる。
【００２０】
請求項５に係る考案では、履き物は、靴である。ゴムベルトを内蔵しているために、靴のサイズに比較して足のサイズが大幅に小さくても、靴から足が脱げる心配はない。
加えて、ゴムベルトは、靴の甲部の陰に設けられているため、靴の外観性は良好に保たれる。
【００２１】
請求項６に係る考案では、靴は、ヒールバックを潰すことができる靴である。踵を潰すと脱げやすくなるが、本考案によれば、ゴムベルトにより、脱げ防止を測ることができる。
【図面の簡単な説明】
【００２２】
【図１】本考案に係る履き物としてのスリッパの側面図である。
【図２】図１の２矢視図である。
【図３】図２の３ａ矢視図及び３ｂ矢視図である。
【図４】履き物の作用説明図である。
【図５】ゴムベルトを潰した形態を説明する図である。
【図６】本考案に係る履き物としてのサンダルの側面図である。
【図７】本考案に係る履き物としての靴の側面図である。
【考案を実施するための形態】
【００２３】
本考案の実施の形態を添付図に基づいて以下に説明する。
【実施例】
【００２４】
図１に示すように、履き物１０としてのスリッパ１１は、床１１に接する底部１２と、この底部１２に取付けられ足先の甲を覆う甲部１３とからなる。
加えて、甲部１３に、本考案の特有の構成である、ゴムベルト２０が収納されている。ゴムベルト２０は、甲部１３で隠される位置に配置されているため、ゴムベルト２０により、スリッパ１１の外観性が低下することはない。
【００２５】
図２に示すように、ゴムベルト２０は、アーチ状を呈し、両端が底部１２に固定されている。ゴムベルト２０と、このゴムベルト２０を覆う甲部１３との間に、隙間１４が存在する。すなわち、ゴムベルト２０は、外力を付与しない状態（自由状態）で、甲部１３の内面１３ａから隙間１４を保つように、長さが決められている。
【００２６】
ゴムベルト２０は、衣料で使用する織ゴムが好適である。織ゴムは、細かく蛇行させた糸を縦糸や横糸にして織った帯布であり、例えばズボンやスカートの腰回りに縫い込まれる。織ゴムでは、ゴム糸は使用されないか、使用されたとしても僅かである。
よって、ゴムベルト２０は、弾性伸縮する帯であればよく、ゴム系材料からなる帯の他、ゴム系材料を殆ど含まない織帯であってもよく、ゴムを含むか否かは問わない。
【００２７】
図３（ａ）に示すように、ゴムベルト２０の下面２１は、平滑面２２である。通常の使用においては、足先の甲が、ゴムベルト２０の下面２１に接する。下面２１が平滑面２２であるため、足先の差し込み及び引き抜きは円滑になる。
【００２８】
図３（ｂ）に示すように、ゴムベルト２０の上面２３は、粗面２４である。
粗面２４は、平滑面２２より粗であれば、形態は任意であるが、好ましくは、スリッパ１１の幅方向（足先を差し込む方向に交差する方向）に延びる筋目２５とする。
縦糸と横糸からなる織布の場合、筋目２５は簡単に形成することができ、ゴムベルト２０の製造コストを下げることができる。
【００２９】
図２に示すゴムベルト２０に、足先を差し込んだときの形態を、図４に基づいて説明する。
図４に示すように、足先３０により、ゴムベルト２０が拡径するように延ばされた。このゴムベルト２０が縮もうとするときに拘束力が発生する。
この拘束力により、スリッパ１１が足先３０から脱げる心配はなくなる。
【００３０】
加えて、ゴムベルト２０と甲部１３との間に、僅かではあるが隙間３１が発生するため、甲部１３に力が加わることはない。力が加わらないため、甲部１３が変形することはなく、図１に示すスリッパ１１は、良好な外観性が保たれる。
【００３１】
また、図４において、ゴムベルト２０で強めに拘束されると、足先３０の両脇に、水平力Ｆ、Ｆが加わる。すると、足先３０は、上に凸となるように、湾曲する。
足先３０が平坦である場合に比較して、足先３０が湾曲していると、足先３０が適度に刺激され、この刺激が健康改善を促すと言われている。
【００３２】
ところで、足先３０に擦り傷や肌荒れがあるときは、ゴムベルト２０による拘束は望ましくない。または、足先３０を拘束されることを嫌う利用者もいる。
この場合、利用者は、図２において、ゴムベルト２０を潰す。すなわち、足の指先を、甲部１３の内面１３ａとゴムベルト２０の上面２３との間に差し込んで、ゴムベルト２０を下げる。ゴムベルト２０の下面２１が底部１２に当たった形態を、図５に基づいて説明する。
【００３３】
図５に示すように、底部１２にゴムベルト２０の大部分が載り、このゴムベルト２０に足先３０が載っている。潰したためゴムベルト２０により拘束力は発生しない。拘束力がないため、足先３０が図面手前へ移動しつつ、甲部１３から容易に足先３０が抜けることが心配される。
【００３４】
図３（ｂ）に示す筋目２５に、図５に示す足先３０が載り、足先３０が筋目２５の筋模様と直交方向に移動しようとするが、足先３０の移動は筋目２５で阻止される。よって、ゴムベルト２０を潰したときであっても、スリッパ１１から足が簡単に抜けることはない。
なお、粗面２４は、筋目２５の他、格子模様や網目模様や細かな凹凸模様であってもよい。
【００３５】
本考案を、サンダルに適用した例を図６に基づいて説明する。
図６に示すように、履き物１０としてのサンダル１６は、底部１２と、甲部１３とを有し、甲部１３内にゴムベルト２０を有している。このゴムベルト２０はアーチ状を呈し、両端が底部１２に接続されている。
大きなサンダル１６に小さな足を差し入れても、ゴムベルト２０の拘束作用により、サンダル１６から足が抜ける心配はない。
また、ゴムベルト２０を潰した形態で、サンダル１６を使用することもできる。
【００３６】
本考案を、一般の靴に適用した例を図７に基づいて説明する。
図７に示すように、履き物１０としての靴１７は、底部１２と、少なくとも甲部１３とを備え、甲部１３内にゴムベルト２０が配置されている。
【００３７】
大きな靴１７に小さな足を差し入れても、ゴムベルト２０の拘束作用により、靴１７から足が抜ける心配はない。加えて、ゴムベルト２０が甲部１３の陰に配置されるために、靴１７の外観性が良好に保たれる。ゴムベルト２０を潰した形態で、靴１７を使用することもできる。
【００３８】
靴１７は、ヒールバック１７ａを潰すことが許容される踵潰し可能なシューズであってもよい。
一般に、ヒールバック１７ａを潰すと、靴１７から足が脱げやすくなるが、本考案によれば、ゴムベルト２０が抜け防止作用を発揮する。
【００３９】
なお、履き物１０は、底部１２と甲部１３とを少なくとも備えている履き物であればよく、スリッパ１１、サンダル１６、靴１７の他、これらに類する履き物であればよい。
【００４０】
したがって、図１で説明したスリッパ１１は、図６に示す履き物１１のように、甲部１３の先端が無いスリッパ１１を含む。また、スリッパ１１の底部１２は、厚底であってもよい。また、スリッパ１１は、甲部１３の先端が無く且つ底部１２が厚底であってもよい。
【００４１】
また、図６で説明説明したサンダル１６は、図１に示す履き物１１のように、甲部１３の先端があるサンダル１６を含む。また、サンダル１６の底部１２は、ヒールが高い底部であってもよい。また、サンダル１６は、甲部１３の先端があり且つ底部１２に高いヒールを備える底部であってもよい。
【産業上の利用可能性】
【００４２】
本考案は、甲部を備える履き物に好適である。
【符号の説明】
【００４３】
１０…履き物、１１…スリッパ、１２…底部、１３…甲部、１３ａ…甲部の内面、１６…サンダル、１７…靴、１７ａ…ヒールバック、２０…ゴムベルト、２１…ゴムベルトの下面、２２…平滑面、２３…ゴムベルトの上面、２４…粗面、２５…筋目、３０…足先。
【図１】
0003220159.tif 000003
【図２】
0003220159.tif 000004
【図３】
0003220159.tif 000005
【図４】
0003220159.tif 000006
【図５】
0003220159.tif 000007
【図６】
0003220159.tif 000008
【図７】
0003220159.tif 000009